(57)【要約】【課題】本明細書は、エアゾールスプレーのペイロード送達のために構成された装置を開示する。【解決手段】本スプレー装置は通常のペン、マーカー、または別の筆記装置ほどの小さな寸法である。スプレー装置が小さくなれば、人間の手による操作が容易になり、エアゾールの典型的な缶よりも、はるかに少ない体積になる。さらに、ペンまたはマーカーに見せかけることで、周りから見る人には、精査しない限り、またはキャップを外さない限り、本スプレー装置と筆記装置との違いが分かりづらい。さらに、キャップとクリップが保存に役立つとともに、スプレー装置をポケット内に確保し、キーホルダーあるいはランヤードに、または別の利用可能な表面あるいは固定点に確保する。キャップはアクチュエータを覆うことで、スプレイペイロードの偶発的な流出を防止する。 【選択図】図１
2018020124.tif 000002
【特許請求の範囲】
【請求項１】
エアゾールスプレー装置は、以下からなる：
ハウジングの外径が10〜25ｍｍで、長さが70〜140ｍｍであり、外径より小さい第2直径の開口を含有する、縮小直径へ向かって細くなる先端部と、一段高いリップを含む、筒状ハウジング、および
筒状ハウジングに着脱可能に結合され、かつ、筒状ハウジングの少なくとも一部で定義される、キャビティ内に保存されたエアゾールスプレーを放出するように構成されている、隠蔽アクチュエータ。
【請求項２】
キャップが筒状ハウジングの少なくとも一部を受容するように構成されたキャビティを定義する円筒体を含み、かつクリップが筒状ハウジングの中心軸に平行に向かっており、隠蔽アクチュエータはキャップより隠蔽される、請求項1に記載の装置。
【請求項３】
クリップがキャップの円筒体の外面まで、あるいは、近くまで延びるフランジを有し、またキャップのクリップと円筒体との間に位置する平面表面か、または別の物体をクリップが把持するように構成される、請求項2に記載の装置。
【請求項４】
キャップの長さは50〜60ｍｍであり、筒状ハウジングと摩擦嵌合を形成するように寸法決めされた直径を有する、請求項2に記載の装置。
【請求項５】
筒状ハウジングの直径は13〜19ｍｍの間の直径である、請求項1に記載の装置。
【請求項６】
筒状のハウジングの長さが100〜110ｍｍである、請求項1に記載の装置。
【請求項７】
先細くなる先端部の長さが、筒状ハウジングの長さの約8分の1以下である、請求項1に記載の装置。
【請求項８】
エアゾールスプレーは噴射剤とヘアスプレーを含む、請求項1に記載の装置。
【請求項９】
隠蔽アクチュエータは、一段高いリップの上を圧着する金属円筒を介して筒状ハウジングに結合される、請求項1に記載の装置。
【請求項１０】
キャップを取り外すことで、隠蔽アクチュエータが現れ、かつ装置にキャップを取り付けることで隠蔽アクチュエータが再度、隠蔽される、請求項2に記載の装置。
【請求項１１】
キャップが筒状ハウジングに、ほぼ等しい直径から丸みを帯びた上端まで、50〜70ｃｍのキャップ長の少なくとも一部に沿って細くなる放物面形状を有する、請求項2に記載の装置。
【請求項１２】
本装置の形状、寸法、構成は隠蔽アクチュエータが、ユーザの一本の指で駆動される一方で、ユーザの残りの人さし指と手のひらは、筒状ハウジングの直径を取り囲む、請求項1に記載の装置。
【請求項１３】
インク入り筆記装置に類似するように構成され、寸法合わせされたエアゾールスプレー装置。
【請求項１４】
装置の動きを防止または限定するために、キャップとクリップとの間に挿入された平面表面の2つの側面を把握するように構成されたキャップとクリップとを含む、請求項13に記載の装置。
【請求項１５】
クリップが本装置の中心軸に平行に向いている、請求項14に記載の装置。
【請求項１６】
クリップがキャップ方向にクリップから延びたフランジを介して、平行平面の1つの側面を把握する、請求項14に記載の装置。
【請求項１７】
平面表面が布製のポケットの外側である、請求項14に記載の装置。
【請求項１８】
直径が10〜25ｍｍで、長さが70〜140ｍｍの円筒体をさらに含む、請求項13に記載の装置。
【請求項１９】
直径が13〜19ｍｍで、長さが100〜110ｃｍである円筒体をさらに含む、請求項13に記載の装置。
【請求項２０】
エアゾールスプレーが噴射剤とヘアスプレーとを含有し、筒状ハウジングが、そのエアゾールスプレー材料を含むキャビティを定義し、ハウジングの一段高いリップの上を圧着する金属円筒を介して、筒状ハウジングに結合される隠蔽アクチュエータをさらに含む、請求項13に記載の装置。
【発明の詳細な説明】
【技術分野】
【０００１】
本開示の態様は、ユーザ操作に反応してエアゾールペイロードを送達する装置、例えば、バルブ装着のアクチュエータなどに関する。本装置は、エアゾール装置ではないように見せて、その変装を支援して、またユーザによる操作と保存が容易な寸法とする。
【背景技術】
【０００２】
エアゾール噴射装置は、標的表面に対してペイロード物質を迅速かつ均一に送達するために、毎日使用されている。エアゾールは、例えば、ヘアスプレーまたは脱臭スプレーを含めて、個人的な、また美容上の理由で使われることが多い。典型的には、既存のエアゾールスプレーは、非常に嵩張り、ポケット、財布に納めづらく、また身に着けるのも難しい。より小さく、より目立たなく、より便利なエアゾールスプレー装置に対するニーズが、特に個人使用のニーズが満たされていない。
【発明の概要】
【０００３】
本概要は、下記の発明の詳細な説明において詳しく説明されるが、本開示に関連するいくつかの一般的な概念を簡略化した形式で紹介する。本概要は、本開示の主要な特徴または本質的な特徴の特定を意図するものではない。
【０００４】
本明細書は、エアゾールスプレーのペイロード送達のために構成された装置を開示する。本スプレー装置は通常のペン、マーカー、または別の筆記装置ほどの小さな寸法である。スプレー装置が小さくなれば、人間の手による操作が容易になり、エアゾールの典型的な缶よりも、はるかに少ない体積になり、スプレー装置の輸送や保管が容易になる。
【０００５】
さらに、ペンまたはマーカーに見せかけているで、スプレー装置のキャップが外されるまで、その目的は知られることがない。本装置はポケットにペンをクリップする連想の、またはマーカーの特定のブランドを想起させるキャップおよびクリップを含められる。周りから見る人には、精査しない限り、またはキャップを外さない限り、本スプレー装置と筆記装置との違いが分かりづらい。
【０００６】
さらに、キャップとクリップは保存に役立つとともに、スプレー装置をポケット内に確保し、キーホルダーあるいはランヤードに、または別の利用可能な表面あるいは固定点に確保する。キャップはまた、装置からスプレーを放出させるアクチュエータを覆うことで、スプレイペイロードの偶発的な流出防止に役立つことができる。
【０００７】
一態様で、エアゾールスプレー装置は、一段高いリップを含む開口になっている、より小さい直径の開口に向かって次第に細くなる筒状ハウジングでもよい。筒状ハウジングの直径は10〜25ｍｍで、長さは70〜140ｍｍでよい。さらに本装置は筒状ハウジングに結合された、筒状ハウジングに保存され、エアゾールスプレーを放出するように構成されている、隠蔽アクチュエータを含んでもよい。
【０００８】
特定の実施形態で、隠蔽アクチュエータは筒状ハウジングの中心軸に平行に、または実質的に平行に向いたクリップを有すキャップにより隠蔽される。いくつかの実施例で、クリップには、クリップとキャップとの間の平面表面を把持するように構成されるフランジが付いている。いくつかの実施形態で、キャップの長さは50〜60ｍｍであり、筒状ハウジングと摩擦嵌合を形成するように寸法決めされた直径を有する。
【０００９】
特定の実施例では、筒状ハウジングの直径は13〜19ｍｍの間の直径であり、および／または長さは100〜110ｍｍである。いくつかの実施形態で、開口に向かって次第に細くなる筒状ハウジングの断面は、筒状ハウジングの長さの約8分の1以下である。特定の実施例では、エアゾールスプレーは噴射剤とヘアスプレーを含む。いくつかの実施形態で、隠蔽アクチュエータは、一段高いリップの上を圧着する金属円筒を介して、筒状ハウジングに結合されている。
【００１０】
多様な実施例では、キャップを取り外すことで、隠蔽アクチュエータが現れ、かつ本装置にキャップを取り付ければ隠蔽アクチュエータが再度、隠蔽される。特定の実施例で、キャップは筒状ハウジングに等しい直径から丸みを帯びた上端まで、50〜70センチメートルの長さに沿って細くなる放物面形状を有する。いくつかの実施形態で、本装置の形状、寸法、構成は、隠蔽アクチュエータが、ユーザの一本の指で駆動される一方で、ユーザの残りの指と手のひらは、筒状ハウジングの直径を取り囲む。
【００１１】
別の態様では、インク入り筆記装置を保持するように構成された容器に保管のために寸法合わせされた、エアゾールスプレー装置、またはインク入り筆記装置に類似するように構成され、寸法合わせされた装置が開示される。特定の実施例で、本装置は装置の動き防止に、平面表面の2つの側面（布製のポケットなど）を把握するように構成されたキャップとクリップとを含む。特定の実施例で、クリップは本装置の中心軸に平行に向いている。いくつかの実施形態で、クリップは、キャップ方向にクリップから延びたフランジを介して、平行平面の1つの側面を把握する。特定の実施形態で、本装置は直径が10〜25ｍｍで、長さが70〜140ｍｍの円筒体を有する。多様な実施例で、円筒体は直径が13〜19ｍｍで、長さが100〜110センチメートルである。
【図面の簡単な説明】
【００１２】
本明細書に記載された態様と、その利点のより完全な理解は、添付図面を考慮して、以下の説明を参照して取得することができ、なお、ここで同じ番号は同じ特徴を表す。さて、本開示の実施形態例を単なる例示として、かつ添付図面を参照して説明するが、これらは次の通りである：
【００１３】
【図１】図1は、本明細書に記載された1つ以上の態様に従う、キャップ付きである、ペンサイズのエアゾールスプレー装置の実施形態を示す。
【００１４】
【図２】図2は、本明細書に記載された1つ以上の態様に従う、部分的に分解したペンサイズのエアゾールスプレー装置の実施形態を示す。
【００１５】
【図３】図3は、本明細書に記載された1つ以上の態様に従う、組み立てられたキャップ付きである、ペンサイズのエアゾールスプレー装置の実施形態を示す。
【００１６】
【図４】図4は、ユーザの装置作動に反応する、エアゾールペイロードの噴射機構の実施形態を示す。
【発明を実施するための形態】
【００１７】
多様な実施形態に関する次の説明では、本発明の一部を構成するとともに、本発明を実施するための各種の実施形態を示す、以下の添付図面を参照する。他の実施形態は、態様および実施形態の範囲を逸脱せずに用いられ、構造的、かつ機能的な変更が行われると理解すべきである。
【００１８】
本明細書に記載された態様は、他の実施形態が可能であり、かつ様々な方法で実践または実行される。また、本明細書で用いられる用語および語法は、説明を目的としており、本発明を制限するものではないことを理解すべきである。むしろ、本明細書で用いられる表現および用語は、最も広い解釈と意味が与えられるものとする。「含む」および「包含する」と、その変種の使用は、その後に掲げる品目と、その同等物だけでなく、さらに追加品目と、その同等物を含むことを意味する。「実装されている」、「連結されている」、「結合されている」、「位置決めされている」、「係合されている」、および、これらの類似の用語の使用は、直接的および間接的な実装、連結、結合、位置決め、係合を含むことを意味する。
【００１９】
加えて、本開示の図は、１つまたは複数の実施形態による尺度および／または寸法を表しており、多次元スケーリングなどの教示に貢献する。しかし、当業者は本明細書の開示は、図示する尺度、寸法、比率、および／または配向に限定されないことを容易に理解するであろう。
【００２０】
図1は、本明細書に記載された1つ以上の態様に従う、キャップ付きのペンサイズのエアゾールスプレー装置の実施形態を示す。
【００２１】
エアゾールスプレー装置は、激しい蒸発によりエアゾールスプレー装置から強力に噴霧させられる、液体噴射剤を保存している筒状ハウジング100を含んでいる。液体噴射剤は、スプレー内での送達に、ペイロードと混合されてよい。一般的なペイロードの例としては、ある場所に均等に広げたい、および／または、エアゾールによって分散させたい、ヘアスプレー、唐辛子スプレー、スプレー塗料、清浄液、オイルまたは香り材、その他の物質が含まれる。ハウジングは、噴射剤からの内部圧力に十分耐え得るアルミニウム、銅、チタニウム、金属、金属合金、またはプラスチックでよい。
【００２２】
いくつかの実施形態で、筒状ハウジングの直径は10〜25ｍｍ、13〜19ｍｍ、または約16ｍｍでよい。いくつかの実施例で、直径は25ｍｍ以下、20ｍｍ以下、16ｍｍ以下、または13ｍｍ以下でよい。筒状ハウジングの長さは70〜140ｍｍ、95〜105ｍｍ、または約100ｍｍでよい。別の実施例で、長さは140ｍｍ以下、125ｍｍ以下、または100ｍｍ以下でよい。特定の実施形態で、直径の寸法とハウジング（およびキャップなどのコンポーネント）の長さは、ペン、マーカー、あるいは蛍光ペンの共通の特徴に似せる、または模倣するように選択されることから、これらのうちの1つまたは複数の装置の寸法に類似するか、または同一であり得る。
【００２３】
いくつかの実施形態で、エアゾールスプレー装置はキャップ105を含んでよい。キャップにより、噴射剤とペイロードとの放出時に押し下げるアクチュエータを隠蔽してもよい。キャップは部分的に、または全体的に放物面形状であってよく、また、ハウジングと接触する場所（具体的には、摩擦嵌合を形成するか、あるいはキャップと係合する、ハウジングの断面に対応する筒状形状を有し得る）まで、ハウジングに平行であり、その後は、先端が丸くなる。別の実施例で、キャップは円筒部、テーパ部、丸い先端部を有する。
【００２４】
キャップの直径は筒状ハウジングの直径に、ほぼ等しいサイズにするが、ハウジングの直径よりも、僅かに大きくすることで、キャップが、（摩擦で、または他の方法で）ぴったりと収まり、また不用意に外れず、アクチュエータの偶然な作動がない。いくつかの実施例で、ハウジングは、キャップの対応付形された係合部と相互作用するように構成された、キャップリップかリッジ、または、チャネルかインデントを含んでよい（逆もまた同様）。いくつかの実施例で、キャップおよびハウジングは、対応するタブおよび戻り止め構造を含む。別の実施例で、嵌合は、円筒形状コンポーネント間の摩擦のみによる。
【００２５】
本装置の使用前には、キャップを引っ張るか、捻じってもよく、また使用の完了時と、本装置保管時にはキャップを押すか、ねじ戻す。いくつかの実施形態で、キャップの長さは50〜70ｍｍ、または約55ｍｍでよい。別の実施例で、長さは約70ｍｍ以下、または55ｍｍ以下である。
【００２６】
またキャップはマーカー、蛍光ペン、またはペンなどにあるクリップに類似の、クリップ110を有してもよい。クリップは、平面表面がキャップとクリップとの間に挿入された時、特にポケットの外縁を把握するように適合されてもよい。クリップはキャップ105の残りの部分に接触するか、ほぼ接触するフランジ115を含んでもよく、これにより、平面表面がフランジとキャップの残りの部分に押し入れられた時には、クリップのみの場合に比べて、より確実に平面表面を把握できる。クリップがキャップの表面とハウジングの中心軸に平行であることで、本装置はクリップで把握された縁、表面、またはコードに直角に、しっかりと留められる。
【００２７】
まとめると、筒状ハウジングとキャップの外見は、ペンまたはマーカーであり、キャップとクリップがあることで内側での着用に、胸ポケットあるいはズボンのポケットへの取り付け、鉛筆バッグ、化粧バッグ、財布などに保管され、または、紙あるいは紙幣などの平面表面への取り付け、またコード、ワイヤー、弦、キーチェーン、ランヤードなどへの取り付けが可能である。本装置はループ、リング、または、特別サイズのスロットあるいはチャンバー内で、ペンまたはマーカーを固定させるバインダーまたはオフィスサプライ整理ケースの中で保管できる。本装置に形状は、実質的に、周りから見る人には本物のマーカーに見えるように、特定のマーカーのデザインを模倣するようにしてもよい。いくつかの実施例で、周りから見る人には、精査しない限り、またはキャップを外さない限り、本スプレー装置と筆記装置との違いが分かりづらい。
【００２８】
図2は、本明細書に記載された1つ以上の態様に従う、部分的に分解したペンサイズのエアゾールスプレー装置の実施形態を示す。
【００２９】
いくつかの実施形態では、筒状ハウジング100は先端で細くなっており、つまりハウジングの長さの15％あるいは10％の、または10％未満の先端部が、ハウジングの直径と比べて、開口に向かって細くなっている。別の実施例では、テーパが無くて、単に（テーパを有する実施形態と同様に）本装置の別のコンポーネントを受け入れる、より小さい直径の開口を定義する上面があるか、または、より小さい直径の垂直円筒頂部まで水平方向に延びて、次に頂部で比較的、小さい開口の有る平らな面がある。
【００３０】
開口の直径は8〜15ｍｍか、または約11ｍｍでよい。いくつかの実施例で、この直径は15ｍｍ以下、11ｍｍ以下、または8ｍｍ以下でもよい。リップ200は、テーパ面からか、または（主要な筒状面よりも比較的小さい直径の）テーパ部からの筒状面より突出してよい。リップはハウジングの開口に隣接するか、または近傍であってよい。リップの突出は1〜3ｍｍでよい。
【００３１】
本装置は、エアゾールアセンブリを含み得る。例えば、本装置は弁棒210、固定用シリンダー215、チャンバー220、浸漬チューブ225を含有する弁アセンブリを含んで、ハウジングに固定され、噴射剤およびペイロードの放出を制御する。固定用シリンダー215は銅、プラスチック、または別の可鍛性か弾性の材料あるいは物質で作られ、上部216と下部217からなる。上部216の高さは約4ｍｍ（または4ｍｍ以下）であり、しっかりと固定するのに、弁棒210とチャンバー220の先端の周りに圧着してもよい。
【００３２】
下部217の高さは約5ｍｍ（または5ｍｍ以下）であり、リップ200の周りに圧着（図3に示す）して、弁アセンブリをハウジングに固定する。低い高さの弁棒（具体的には、6ｍｍ以下、または4ｍｍ以下）と共に、相対的に高さが低いので、本装置は筆記装置に限りなく類似する。実際、記載された寸法のコンポーネントの組合せの使用により、これらの実施形態は筆記装置のキャップを含めて、寸法と形状において非常に高い精度で、本物の筆記装置の複製を可能にする。
【００３３】
浸漬チューブ225の長さは、固定用シリンダーで固定された後に、浸漬チューブがハウジングの底に、またはハウジングの底の近くに到達して、ペイロードを浸漬チューブの底を経由させ、かつハウジングにペイロードが無くなるまで噴射可能な長さでよい。噴射すべき材料を保持するキャビティが、ハウジングの全長未満である実施例の場合に、チューブは、ハウジングまたはコンポーネントおよび／または面により定義されるキャビティまで、あるいは、近くまで適切に延びてよい。
【００３４】
図3は、キャップを外して、組み立てられたペンのサイズのエアゾールスプレー装置を示す。
【００３５】
アクチュエータ300は、弁棒210に固定されて、アクチュエータが押し下げられた時には、弁棒もチャンバー220方向に押し下げられて、噴射剤とペイロードとが浸漬チューブ225、チャンバー220、弁棒210、そしてアクチュエータ自身を通過するチャネルが作られる。アクチュエータには、本装置からの結果として生じる円錐状スプレーを指示して制御するアパーチャ305があってもよい。アクチュエータの長さは約15ｍｍ以下、10ｍｍ以下、または20ｍｍ以下である。アクチュエータは、キャップ内に収まるように構成された直径を有し、かつ、その形状は細くなるか、または筆記装置に極めて近い類似性を有するキャップの形状（例えば、先細くなる）の範囲で変形してよい。
【００３６】
図4AとBは、ユーザの装置作動に反応する、エアゾールペイロードの噴射機構を示す。
【００３７】
図4Aで示すように、非噴射状態では、スプリング400などの圧縮要素は、チャンバー220の上部に押された弁棒210を維持するので、噴射剤とペイロードの漏れはない。スプリングはコイルばね、板ばね、またはその他の形状でもよい。圧縮要素は可鍛性材料を含んでもよい。図4Bに示すように、アクチュエータ300が押された時には、弁棒210が押し下げられて開口が作られるので、噴射剤は、それ自身とペイロードを浸漬チューブ225経由で、アクチュエータのアパーチャから押し出す。(Translator’s Note: “valve stem 225” is translated as “dip tube 225”.)
【００３８】
主題を、構造的特徴および／または方法論的行為に特有の言語で記載してきたが、添付される特許請求の範囲で定義される本主題が、上記に記載された特徴または行為に必ずしも限定されないことを理解されたい。むしろ、記載された特徴および行為は、特許請求の範囲を実践する例示的形態として開示されるものである。
【符号の説明】
【００３９】
100  筒状ハウジング
【図１】
2018020124.tif 000003
【図２】
2018020124.tif 000004
【図３】
2018020124.tif 000005
【図４】
2018020124.tif 000006
【外国語明細書】
2018020124000001.pdf